(57)【特許請求の範囲】
【請求項１】
換気扇に設けられた電動機に電源を供給する電源電線の接続される電源入力部と、前記換気扇の電動機に供給する電源を制御する電源制御部からの出力が入力される端子部材側接続端子とを設けた端子部材を備え、前記端子部材の電源入力部に電源を接続し、前記端子部材側接続端子に前記電源制御部を接続する構成とした換気扇用端子台であって、前記換気扇の電動機に電源を出力する電源出力部を前記端子部材に設け、前記電源制御部を前記端子部材の端子部材側接続端子から離脱したときに前記電源入力部と前記電源出力部が短絡する構成としたことを特徴とする換気扇用端子台。
【請求項２】
換気扇に設けられた電動機に電源を供給する電源電線の接続される電源入力部と、前記換気扇の電動機に供給する電源を制御する電源制御部からの出力が入力される端子部材側接続端子とを設けた端子部材を備え、前記端子部材の電源入力部に電源を接続し、前記端子部材側接続端子に前記電源制御部を接続する構成とした換気扇用端子台であって、前記電源制御部を前記端子部材の端子部材側接続端子から離脱した部分に前記電源入力部と前記換気扇の電動機回路間を短絡する短絡部材を着脱自在に設けたことを特徴とする換気扇用端子台。
【発明の詳細な説明】
【０００１】
【発明の属する技術分野】
本発明は、標準形の換気扇を自動運転形換気扇に変更できる換気扇用端子台に関する。
【０００２】
【従来の技術】
近年、室内の環境良化を図るための換気扇の普及にともない自動運転機能のない標準形の換気扇を室内の汚染度等を検知して自動的に運転できる自動運転形の換気扇に簡単に変更できる制御部材に対する要求が高まってきている。
【０００３】
従来、この種の制御部材の一例として標準形の換気扇を自動的に運転できる換気扇自動スイッチを設けることが知られている。以下、その構成について図１２を参照しながら説明する。
【０００４】
図に示すように、天井面１０１に取り付けられた標準形の換気扇１０２の電源入力端子台１０３に、壁部１０４に孔１０５を設け、孔１０５に取り付けられ汚染度等をセンサーにより検知して自動運転させる換気扇自動スイッチ１０６の配線１０７を接続し、換気扇自動スイッチ１０６に電源電線１０８を接続して標準形の換気扇を自動運転形換気扇に変更していた。
【０００５】
また、換気扇を自動運転とするために、今まで設置されていた標準形の換気扇全体を取り外し、新しく購入した自動運転形の換気扇に取り替えることも行われていた。
【０００６】
【発明が解決しようとする課題】
このような従来の標準形の換気扇を自動運転形の換気扇に変更する方法では前者においては、換気扇自動スイッチ１０６を別個に購入し、壁部１０４に換気扇自動スイッチ１０６を取り付けるための孔１０５を設けたり、再度配線工事を行わなければならないので、施工に手間が掛かり工事費が高くなるという課題があった。
【０００７】
また、後者においては、今まで設置されていた標準形の換気扇を取り外し、新しく購入した自動運転形換気扇に取り替えることとなるため、既設の標準形の換気扇が無駄となり資源の浪費となるとともにコスト負担が大きくなるという課題があった。
【０００８】
本発明は、上記課題を解決するもので、標準形の換気扇を省施工で安価に自動運転形換気扇に変更できる換気扇用端子台を提供することを目的とする。
【０００９】
【課題を解決するための手段】
本発明の換気扇用端子台においては、換気扇に設けられた電動機に電源を供給する電源電線の接続される電源入力部と、前記換気扇の電動機に供給する電源を制御する電源制御部からの出力が入力される端子部材側接続端子とを設けた端子部材を備え、前記端子部材の電源入力部に電源を接続し、端子部材側接続端子に電源制御部を接続する構成としたものである。
【００１０】
この本発明によれば、標準形の換気扇を省施工で安価に自動運転形換気扇に変更できる換気扇用端子台を提供することができる。
【００１１】
【発明の実施の形態】
本発明の請求項１に記載の発明は、換気扇に設けられた電動機に電源を供給する電源電線の接続される電源入力部と、前記換気扇の電動機に供給する電源を制御する電源制御部からの出力が入力される端子部材側接続端子とを設けた端子部材を備え、前記端子部材の電源入力部に電源を接続し、前記端子部材側接続端子に前記電源制御部を接続する構成とした換気扇用端子台であって、前記換気扇の電動機に電源を出力する電源出力部を前記端子部材に設け、前記電源制御部を前記端子部材の端子部材側接続端子から離脱したときに前記電源入力部と前記電源出力部が短絡する構成としたとしたものであり、電源制御部に設けた室内の汚染度を検知するセンサー等により汚染度が検知されると電源制御部において換気扇を自動運転できるように制御される自動運転形換気扇が省施工で安価に得られるとともに、標準形の換気扇と自動運転形換気扇の切り替えが容易にできるという作用を有する。
【００１２】
以下、本発明の実施の形態について図１〜図１１を参照しながら説明する。
【００１３】
（実施の形態１）
図１および図２に示すように、天井面１に取り付けられる換気扇２の電動機３に電源を供給する電源電線４の接続される電源入力部５と、この電源入力部５が接続される制御部側出力部６と電動機３に入力する換気扇側入力部７とを設けた端子部材側接続端子８を有した端子部材９と、端子部材側接続端子８の制御部側出力部６に接続される制御部側入力部１０と端子部材側接続端子８の換気扇側入力部７に接続される換気扇側出力部１１とを設けた電源制御部側接続端子１２に接続され、換気扇２の一部を形成する化粧枠１３に取り付けられる電源制御部１４を設け、端子部材９の電源入力部５に電源電線４を接続し、端子部材側接続端子８に電源制御部側接続端子１２を介して電源制御部１４を接続して換気扇用端子台を構成する。
【００１４】
上記構成において、換気扇２は室内１５に汚染空気が発生し室内１５に露出している電源制御部１４に組み込まれているセンサー（図示せず）で検知されると、電源電線４を通り端子部材９の電源入力部５に入力された電源は、端子部材側接続端子８に設けられている制御部側出力部６から電源制御部側接続端子１２の制御部側入力部１０に入力され、電源制御部１４により制御され、電源制御部側接続端子１２の換気扇側出力部１１より端子部材側接続端子８の換気扇側入力部１０に入力され、換気扇２の電動機３に通電され、換気扇３が自動的に運転され、室内１５の汚染空気が室外に排出されることとなる。
【００１５】
このように本発明の実施の形態１の換気扇用端子台によれば、換気扇２に電源を供給する電源電線４の接続される電源入力部５と、換気扇２に供給する電源を制御する電源制御部１４からの出力が入力される端子部材側接続端子８とを設けた端子部材９を備え、端子部材９の電源入力部５に電源を接続し、端子部材側接続端子８に電源制御部１４を接続する構成としたので、従来のように換気扇用スイッチを取り付ける施工や電気配線工事を行うことなく、少ない部品で自動運転形換気扇に変更することが可能となる。
【００１６】
（実施の形態２）
図３および図４に示すように、換気扇２の電動機３に電源を出力する電源出力部１６を端子部材９Ａに設け、電源入力部５Ａと電源出力部１６間に、電源入力部５Ａと電源出力部１６を短絡する短絡スイッチ１７を設け、電源制御部側接続端子１２Ａに、電源制御部側接続端子１２Ａが端子部材側接続端子８Ａに接続結合したときに、短絡スイッチ１７の短絡を解除する作動子１８を設け、電源制御部１４Ａを端子部材９Ａより離脱したときに、端子部材９Ａの電源入力部５Ａと電源出力部１６が短絡するように換気扇用端子台を構成する。
【００１７】
上記構成において、自動運転時は、端子部材９Ａの端子部材側接続端子８Ａに電源制御部側接続端子１２Ａが接続され、電源制御部側接続端子１２Ａに設けた作動子１８により端子部材９Ａに設けた短絡スイッチ１７の短絡が解除され、電源は端子部材９Ａの端子部材側接続端子８Ａより電源制御部側接続端子１２Ａに入力され、電源制御部１４Ａが接続され、電源制御部１１Ａに組み込まれているセンサーにより室内１５に発生した汚染空気が検知されると、換気扇２の電動機３への運電が行われ換気扇２は自動的に運転されることとなる。
【００１８】
そして、センサー等による自動運転ではなく、強制的に標準運転状態に変更するときには、端子部材９Ａの端子部材側接続端子８Ａから電源制御部側接続端子１２Ａを離脱することにより、電源制御部側接続端子１２Ａに設けた作動子１８も短絡スイッチ１７より離脱し、短絡スイッチ１７により端子部材９Ａの電源入力部５Ａと電源出力部１６が短絡スイッチ１７を介して導通することとなり、電源が電源制御部１４Ａを介さず換気扇２に接続されることとなる。
【００１９】
このように本発明の実施の形態２の換気扇用端子台によれば、換気扇２の電動機３に電源を出力する電源出力部１６を端子部材９Ａに設け、電源制御部１４Ａを端子部材９Ａの端子部材側接続端子８Ａから離脱したときに、電源入力部５Ａと電源出力部１６が短絡する構成としたので、標準形の換気扇と自動運転形換気扇の切り替えが容易にできる。
【００２０】
（実施の形態３）
図５および図６に示すように、電源制御部１４Ｂを端子部材９Ｂの端子部材側接続端子８Ｂから離脱した部分に、端子部材側接続端子８Ｂに設けた制御部側出力部６Ａと換気扇側入力部７Ａとを短絡し、電源入力部５Ｂと換気扇２Ａの電動機３Ａ間の電気回路を短絡させる短絡部材１９を着脱自在に設け換気扇用端子台を構成する。
【００２１】
上記構成において、自動運転時は、端子部材９Ｂの端子部材側接続端子８Ｂの制御部側出力部６Ａと換気扇側入力部７Ａに電源制御部１４Ｂを接続し、自動運転形換気扇として運転させる。
【００２２】
そして、センサー等により検知し電源制御部１４Ｂを介して運転する自動運転ではなく、自動運転機能のない標準運転状態に変更するときには、端子部材９Ｂより電源制御部１４Ｂを離脱した部分に、端子部材側接続端子８Ｂの制御部側出力部６Ａと換気扇側入力部７Ａに短絡部材１９を接続し、電源入力部５Ｂと換気扇２Ａに設けた電動機３Ａの電気回路間が短絡され、電源が電源制御部１４Ｂを介さず短絡部材１９を介して換気扇２Ａの電動機３Ａに接続されることとなる。
【００２３】
また、メンテナンス時においては、短絡部材１９を取り外すことにより電動機３Ａへの通電がしゃ断されることとなる。
【００２４】
このように本発明の実施の形態３の換気扇用端子台によれば、電源制御部１４Ｂを端子部材９Ｂの端子部材側接続端子８Ｂから離脱した部分に電源入力部５Ｂと換気扇２Ａの電動機回路間を短絡する短絡部材１９を着脱自在に設けたので、標準形の換気扇と自動運転形換気扇の変更を簡単な構造で安価に行うことができるとともに、メンテナンス時の安全性を高めることができる。
【００２５】
（実施の形態４）
図７および図８に示すように、換気扇２Ｂの室内側開口２０に面して電源電線４Ａの接続される電源入力部５Ｃを設け、電源入力部５Ｃに接続された電源電線４Ａが保持されている状態を解除する解除手段２１を設けた端子部材９Ｃを換気扇２Ｂ内に設け換気用端子台を構成する。
【００２６】
上記構成において、換気扇２Ｂに電源電線４Ａを接続するときには、天井面に設置された換気扇２Ｂの室内側から室内側開口２０に面して設けられた端子部材９Ｃとの電源入力部５Ｃに電源電線４Ａを接続し、端子部材９Ｃに設けられた制御部側出力部６および、換気扇側入力部７に電源制御部（図示せず）を接続することにより自動運転ができることとなる。
【００２７】
また、端子部材９Ｃの電源入力部５Ｃに接続された電源電線４Ａは解除手段２１を操作することにより、電源電線４Ａを保持する力が解除され電源電線４Ａを取り外すことができ、施工時に電源電線４Ａを電源入力部５Ｃより一旦取り外し、再度接続する必要が生じたときにおいても電源電線４Ａの挿脱を簡単に行うことができる。
【００２８】
このように本発明の実施の形態４の換気扇用端子台によれば、電源電線４Ａの接続される電源入力部５Ｃを、換気扇２Ｂの室内側開口２０に面して配設されるように端子部材９Ｃを換気扇２Ｂ内に設けたので、電源電線４Ａを端子部材９Ｃの電源入力部５Ｃに室内側から接続することが可能となり、天井裏等で電源電線を接続する場合と比較して、電源電線４Ａの接続を行う電気工事が容易となり施工性の向上を図ることができる。
【００２９】
また、端子部材９Ｃの電源入力部５Ｃに電源電線４Ａを解除手段２１を介して挿脱自在に設けたので、電源電線４Ａの接続のやり直しが可能となり、施工性の向上を図ることができる。
【００３０】
（実施の形態５）
図９および図１０に示すように、端子部材９Ｄに過負荷保護装置２２および電動機駆動用のコンデンサー２３を収納する収納部２４を設け、過負荷保護装置２２および電動機駆動用コンデンサー２３を設けた換気扇用端子台を構成する。
【００３１】
上記構成において、端子部材９Ｄに設けた過負荷保護装置２２により換気扇運転時の過負荷が保護され安全性が高められる。
【００３２】
また、端子部材９Ｄに設けた電動機駆動用コンデンサー２３により、電動機駆動用コンデンサー２３を電動機に組み込んだり、別個に設ける必要もなくなる。
【００３３】
このように本発明の実施の形態５の換気扇用端子台によれば、端子部材９Ｄに過負荷保護装置２２を設けたので、安全性の向上はもとより、過負荷保護装置２２を別個に設ける必要もなく、端子部材９Ｄの一つの部材となることにより安価にすることができる。
【００３４】
また、端子部材９Ｄに電動機駆動用コンデンサー２３を設けたので、電動機駆動用コンデンサー２３を別個に設ける必要もなく、端子部材９Ｄの一つの部材となることにより安価にすることができる。
【００３５】
（実施の形態６）
図１１に示すように、端子部材９Ｅに複数の出力端子部２５を設け、換気扇用端子台を構成する。
【００３６】
上記構成において、換気扇（図示せず）に搭載した端子部材９Ｅの電源入力部５Ｃより電源が入力され、電源制御部（図示せず）が制御部側出力部６と換気扇側入力部７に接続されることにより、端子部材９Ｅの搭載した換気扇が端子部材９Ｅの一面に設けた出力端子部２５の出力により自動運転される。
【００３７】
そして、端子部材９Ｅを搭載した換気扇に出力するように接続された出力端子部２５以外の複数の出力端子部２５に、他の換気扇等の機器を接続することにより、他の換気扇等の機器も連動運転することができる。
【００３８】
このように本発明の実施の形態６の換気扇用端子台によれば、端子部材９Ｅに換気扇等の機器を運転する複数の出力端子部２５を設けたので、端子部材７Ｅを搭載した換気扇以外の別の換気扇等の機器を運転することが可能となる。
【００３９】
【発明の効果】
以上の実施の形態から明らかなように、本発明によれば、換気扇に設けられた電動機に電源を供給する電源電線の接続される電源入力部と、前記換気扇の電動機に供給する電源を制御する電源制御部からの出力が入力される端子部材側接続端子とを設けた端子部材を備え、前記端子部材の電源入力部に電源を接続し、端子部材側接続端子に電源制御部を接続する構成としたので、従来のように換気扇用スイッチを取り付ける施工や電気配線工事を行うことなく、少ない部品で自動運転形換気扇に変更できる換気扇用端子台を提供できる。
【００４０】
また、換気扇の電動機に電源を出力する電源出力部を端子部材に設け、電源制御部を端子部材の端子部材側接続端子から離脱したときに電源入力部と電源出力部が短絡する構成としたので、標準形換気扇と自動運転形換気扇の切り替えが容易にできる。
【００４１】
また、電源制御部を端子部材の端子部材側接続端子から離脱した部分に電源入力部と換気扇の電動機回路間を短絡する短絡部材を着脱自在に設けたので、標準形換気扇と自動運転形換気扇の変更を簡単な構造で安価に行うことができる。
【００４２】
また、電源電線の接続される電源入力部を、換気扇の室内側開口に面して配設されるように端子部材を換気扇内に設けたので、電源電線の接続を行う電気工事が容易となり施工性の向上を図ることができる。
【００４３】
また、端子部材の電源入力部に電源電線を挿脱自在に設けたので、電源電線の接続のやり直しが可能となり施工性の向上を図ることができる。
【００４４】
また、端子部材に過負荷保護装置を設けたので、過負荷保護装置を別個に設ける必要がなく、端子部材の中に設けられることにより一つの部材となり安価にすることができる。
【００４５】
また、端子部材に電動機駆動用コンデンサーを設けたので、電動機駆動用コンデンサーを別個に設ける必要もなく、端子部材の中に設けられることにより一つの部材となり安価にすることができる。
【００４６】
また、端子部材に換気扇等の機器を運転する複数の出力端子部を設けたので、端子部材を搭載した換気扇以外の別の換気扇等の機器を運転することが可能となる。
【図面の簡単な説明】
【図１】本発明の実施の形態１の換気扇用端子台の構成を示す断面図
【図２】同換気扇用端子台の接続端子部分の構成を示す概略拡大図
【図３】本発明の実施の形態２の換気扇用端子台の自動運転時の状態を示す断面図
【図４】同換気扇用端子台の短絡時の状態を示す断面図
【図５】本発明の実施の形態３の換気扇用端子台の構成を示す断面図
【図６】同換気扇用端子台に接続される電源制御部の側面図
【図７】本発明の実施の形態４の換気扇用端子台の構成を示す斜視図
【図８】同換気扇用端子台の電源電線との関係を示す斜視図
【図９】本発明の実施の形態５の換気扇用端子台の分解斜視図
【図１０】同換気扇用端子台の斜視図
【図１１】本発明の実施の形態６の換気扇用端子台の斜視図
【図１２】従来の自動運転形換気扇の構成を示す断面図
【符号の説明】
２      換気扇
２Ａ    換気扇
２Ｂ    換気扇
３      電動機
３Ａ    電動機
４      電源電線
４Ａ    電源電線
５      電源入力部
５Ａ    電源入力部
５Ｂ    電源入力部
５Ｃ    電源入力部
８      端子部材側接続端子
８Ａ    端子部材側接続端子
８Ｂ    端子部材側接続端子
９      端子部材
９Ａ    端子部材
９Ｂ    端子部材
９Ｃ    端子部材
９Ｄ    端子部材
９Ｅ    端子部材
１４    電源制御部
１４Ａ  電源制御部
１４Ｂ  電源制御部
１６    電源出力部
１７    短絡スイッチ
１９    短絡部材
２０    室内側開口
２１    解決手段
２２    過負荷保護装置
２３    電動機駆動用コンデンサー
２５    出力端子部
【図１】
0003718100.tif 000002
【図２】
0003718100.tif 000003
【図３】
0003718100.tif 000004
【図４】
0003718100.tif 000005
【図５】
0003718100.tif 000006
【図６】
0003718100.tif 000007
【図７】
0003718100.tif 000008
【図８】
0003718100.tif 000009
【図９】
0003718100.tif 000010
【図１０】
0003718100.tif 000011
【図１１】
0003718100.tif 000012
【図１２】
0003718100.tif 000013